(57)【要約】【課題】  音響機器の体積を小さくする。【解決手段】  従来のホーンスピーカでは、エッジ８９からホーン８４側に突出したダイアフラム８９の外周部にボイスコイルボビンが設けられ、これがホーンスピーカの小型化の阻害要因となっていた。そこで、ホーンスピーカ１において、ダイアフラム８７を支持するエッジ８９に電線８８ａを配置した。環状マグネット８２ｃ、８２ｂ、８２ａは、エッジ８９に平行であり、電線８８ａの電流方向と直交する磁界を発生する。電線８８ａに電流を流すことによりダイアフラム８７を中心軸ａｘ方向に駆動することができる。【選択図】  図１
2017139664.tif 000002
【特許請求の範囲】
【請求項１】
可動部を支持する支持部と、
前記支持部に配置され、前記可動部の可動方向と直交する磁界中において、前記可動方向および前記磁界の方向の両方と直交する方向に電流を流す電線と
を具備することを特徴とする音響機器。
【請求項２】
前記支持部は、周辺が前記音響機器に固定され、中央に前記可動部が固定された略環状の部材であり、
前記支持部と対面する位置に前記支持部に平行な前記磁界を発生する磁界発生部を具備することを特徴とする請求項１に記載の音響機器。
【請求項３】
前記磁界における１本の磁力線と複数本の前記電線とが交差することを特徴とする請求項２に記載の音響機器。
【請求項４】
前記磁界発生部は、前記支持部において前記可動部を取り囲む複数の同心の環状領域に、各々放射方向であり、かつ、隣り合う環状領域間で逆方向の磁界を各々発生し、
前記複数の環状領域には、各々を縦断する円軌道に沿って電線が配置され、各電線の電流方向が隣り合う環状領域間で逆方向であることを特徴とする請求項２または３に記載の音響機器。
【請求項５】
前記磁界発生部は、前記支持部において前記可動部を取り囲む１つの環状領域に磁界を発生し、
前記環状領域には、当該環状領域を複数回縦断する電線が配置され、当該環状領域の横断面と交差する各電線における電流方向が同方向であることを特徴とする請求項３に記載の音響機器。
【請求項６】
エッジに電線が配置されたことを特徴とするコンプレッションドライバ。
【発明の詳細な説明】
【技術分野】
【０００１】
本発明は、スピーカに代表される電気音響変換装置と、マイクロフォンに代表される音響電気変換装置を含む音響機器に関する。
【背景技術】
【０００２】
スピーカに代表される電気音響変換装置の中には、磁気回路が発生する磁界中に置かれたコイルに電流を流すことによりコイルに駆動力を与え、このコイルにダイアフラム等の可動部を連動させる構成のものがある。また、マイクロフォンに代表される音響電気変換装置の中にもコイルと磁気回路を利用したものがある。ただし、マイクロフォン等では、磁気回路が発生した磁界中においてダイアフラム等の可動部にコイルを連動させ、コイルから電気信号を得るようにしている。
【０００３】
図１０は、このような磁気回路とコイルを利用した音響機器の一例であるホーンスピーカ２を中心軸ａｘを含む平面で切断した縦断面図である。図１０に示すホーンスピーカ２からホーン８４を除いた部分はコンプレッションドライバと呼ばれている。
【０００４】
図１０に示すように、ホーン８４のスロート部９４は、バックプレート８０の一端面に固定されている。このバックプレート８０において、ホーン８４と反対側の端面にはポールピース８５の一底面が固定されている。そして、バックプレート８０とポールピース８５の中心には両者を貫いてホーン８４のスロート部９４に至る導音孔８３が設けられている。ポールピース８５においてバックプレート８０と反対側の底面は導音孔８３に向かってすり鉢状に凹んでおり、このすり鉢状の面にはフェイズプラグ８６が嵌め込まれている。
【０００５】
このフェイズプラグ８６は、ホーンスピーカ２の中心軸ａｘに対して軸対称な形状を有する。また、このフェイズプラグ８６には、中心軸ａｘに対して軸対称な複数のスリット９１が形成されている。ここで、スリット９１とは、フェイズプラグ８６の背後の空間とフェイズプラグ８６の正面の空間（すなわち、導音孔８３）とを連通させる細長い空間のことである。
【０００６】
そして、フェイズプラグ８６の背後には一定間隔を開けて可動部であるダイアフラム８７が支持されている。このダイアフラム８７は、ドーム状に湾曲した半真球形状をしており、そのダイアフラム８７のホーン８４側外周部に筒状のボイスコイルボビン８８が設けられている。
【０００７】
バックプレート８０におけるホーン８４と反対側の端面には、バックプレート８０と同じ直径の環状マグネット８２とトッププレート８１があり、環状マグネット８２は、バックプレート８０とトッププレート８１との間に挟まれ支持されている。環状マグネット８２は、一方の底面（例えばバックプレート８０側の底面）にＮ極があり、他方の底面（例えばトッププレート８１側の底面）にＳ極がある。
【０００８】
トッププレート８１の内周面は、微小な間隔を空けてポールピース８５の外周面と対向している。そして、バックプレート８０と、環状マグネット８２と、トッププレート８１と、フェイズプラグ８６と、ポールピース８５とからなる部分は、環状マグネット８２が発生した磁力線を一巡させる磁気回路を構成している。そして、ダイアフラム８７は、この磁気回路のトッププレート８１の内周面とポールピース８５の外周面との間にある磁気ギャップＡＧにボイスコイルボビン８８を収めた状態で支持されている。
【０００９】
可動部であるダイアフラム８７を支持する構成は次の通りである。まず、トッププレート８１の環状マグネット８２と反対側の端面には、スペーサリング９０が固定されている。このスペーサリング９０の内周面とダイアフラム８７の外周部との間にはエッジ８９が介在している。このエッジ８９がダイアフラム８７を支持する支持部の役割を果たす。さらに、ホーンスピーカ２は、ダイアフラム８７を挟んでフェイズプラグ８６の反対側にダイアフラム８７を覆うバックカバー９５を備えている。バックカバー９５の端面は、スペーサリング９０に固定されている。
【００１０】
以上のような構成を有するホーンスピーカ２では、環状マグネット８２の発生した磁束がトッププレート８１とポールピース８５の間の磁気ギャップＡＧを通過する。そして、ボイスコイルボビン８８における電線８８ａに電流を流すと、ボイスコイルボビン８８には、ホーンスピーカ４の中心軸ａｘに平行な方向の駆動力が与えられ、ボイスコイルボビン８８に固定されたダイアフラム８７が振動する。ダイアフラム８７が振動すると、この振動により、ダイアフラム８７とフェイズプラグ８６との間の空間ＯＳの空気がフェイズプラグ８６の各スリット９１を介して導音孔８３に押し出されたり引き戻されたりする。そして、この押し出されたり引き戻されたりする空気の粗密波が、音波として導音孔８３を経由し、ホーン８４から放音される。特許文献１〜３には、図１０で示すようなホーンスピーカ２が開示されている。
【先行技術文献】
【特許文献】
【００１１】
【特許文献１】登録実用新案第３０４０１７９号公報
【特許文献２】特開平６−１４１３９０号公報
【特許文献３】特開２０１１−２４４０５０号公報
【発明の概要】
【発明が解決しようとする課題】
【００１２】
ところで、従来のホーンスピーカ２では、エッジ８９からホーン８４側に突き出したダイアフラム８７の外周部にボイスコイルボビン８８が設けられており、このボイスコイルボビン８８がホーンスピーカ２の中心軸ａｘ方向の寸法を小さくするのを困難にしていた。
【００１３】
この問題は、コイルと磁気回路を利用したマイクロフォン等の音響電気変換装置においても同様に生じる。
【００１４】
本発明は以上に説明した課題に鑑みて為されたものであり、その目的は、音響機器の体積を小さくすることにある。
【課題を解決するための手段】
【００１５】
上記課題を解決するために本発明は、可動部を支持する支持部と、前記支持部に配置され、前記可動部の可動方向と直交する磁界中において、前記可動方向および前記磁界の方向の両方と直交する方向に電流を流す電線とを具備することを特徴とする音響機器を提供する。
【００１６】
本発明では、電線が支持部に配置されているので、ダイアフラム等の可動部に電線を配置するための領域を設ける必要がない。よって、本発明によれば、体積の小さな音響機器を実現することができる。
【００１７】
好ましい態様において、前記支持部は、周辺が前記音響機器に固定され、中央に前記可動部が固定された略環状の部材であり、音響機器は、前記支持部と対面する位置に前記支持部に平行な前記磁界を発生する磁界発生部を具備する。
【００１８】
従来のホーンスピーカでは、ダイアフラムのホーン側外周部に設けられたボイスコイルボビンを磁気ギャップが収容するように磁気回路を設ける必要があり、これがホーンスピーカの中心軸方向のサイズを大きくする一因となっていた。これに対し、この態様によれば、支持部に平行な磁界を発生する磁界発生部が、支持部に対面する位置に設けられている。この磁界発生部は、電線を収容する磁気ギャップを発生する必要がないので小型化が可能である。従って、音響機器の体積を小さくすることが可能である。
【００１９】
また、本発明は、エッジに電線が配置されたことを特徴とするコンプレッションドライバを提供する。
【００２０】
このコンプレッションドライバは、エッジに電線が配置されているため、全体の体積を小さくすることができる。
【図面の簡単な説明】
【００２１】
【図１】この発明の一実施形態であるホーンスピーカ１を中心軸ａｘを含む平面で切断した縦断面図である。
【図２】バックカバー９５を取り外した同ホーンスピーカ１をバックカバー９５からホーン８４に向かう方向から見た背面図である。
【図３】端子Ａから端子Ｂに電流が流れる場合に図２に示すホーンスピーカ１をＡ−Ａ’線において切断した断面図である。
【図４】変形例（１）のバックカバー９５を取り外した同ホーンスピーカ１をバックカバー９５からホーン８４に向かう方向から見た背面図である。
【図５】端子Ａから端子Ｂに電流が流れる場合に図４に示すホーンスピーカ１をＢ−Ｂ’線において切断した断面図である。
【図６】変形例（１）のバックカバー９５を取り外した同ホーンスピーカ１をバックカバー９５からホーン８４に向かう方向から見た背面図である。
【図７】変形例（２）のバックカバー９５を取り外した同ホーンスピーカ１をバックカバー９５からホーン８４に向かう方向から見た背面図である。
【図８】端子Ａから端子Ｂに電流が流れる場合に図７に示すホーンスピーカ１をＣ−Ｃ’線において切断した断面図である。
【図９】端子Ａから端子Ｂに電流が流れる場合に変形例（３）のホーンスピーカ１を図２のＡ−Ａ’線において切断した断面図である。
【図１０】従来のホーンスピーカ２を中心軸ａｘを含む平面で切断した縦断面図である。
【発明を実施するための形態】
【００２２】
以下、図面を参照しつつ本発明の実施の形態について説明する。
図１は、この発明の一実施形態であるホーンスピーカ１を中心軸ａｘを含む平面で切断した縦断面図である。上述した従来のホーンスピーカ２（図１０参照）では、ダイアフラム８７のホーン８４側外周部に筒状のボイスコイルボビン８８が設けられていた。これに対し、本実施形態によるホーンスピーカ１では、このようなボイスコイルボビン８８は設けられておらず、その代わりに、可動部であるダイアフラム８７を支持する支持部であるエッジ８９のバックカバー９５側の表面に電線８８ａが設けられている。
【００２３】
また、上述した従来のホーンスピーカ２（図１０参照）では、バックプレート８０と、環状マグネット８２と、トッププレート８１と、フェイズプラグ８６と、ポールピース８５とからなる磁気回路が設けられていた。そして、この磁気回路において、トッププレート８１およびポールピース８５間の磁気ギャップＡＧに磁界を発生させ、ボイスコイルボビン８８のコイル巻線（電線８８ａ）を通過させた。
【００２４】
これに対し、本実施形態によるホーンスピーカ１では、環状マグネット８２が環状マグネット８２ａ、８２ｂおよび８２ｃに置き換えられている。これらの環状マグネット８２ａ、８２ｂおよび８２ｃは、エッジ８９に設けられた電線８８ａを通過する磁界を発生する磁界発生部として機能する。
【００２５】
従来のホースピーカ２と同様、エッジ８９は、周囲がホーンスピーカに固定され、その中央が可動部であるダイアフラム８７に固定された略環状の部材である。ここで、ダイアフラム８７の可動方向は中心軸ａｘに沿った方向である。そして、磁界発生部である環状マグネット８２ａ、８２ｂおよび８２ｃは、支持部であるエッジ８９と対面する領域に設けられている。
【００２６】
また、本実施形態では、トッププレート８１が非磁性体であるトッププレート８１ａに置き換えられており、ポールピース８５が非磁性体である導音孔形成部８５ａに置き換えられている。トッププレート８１ａおよび導音孔形成部８５ａが非磁性体であるのは、環状マグネット８２ａ、８２ｂおよび８２ｃが発生する磁界の短絡を防止するためである。
【００２７】
また、本実施形態では、エッジ８９とホーンスピーカ１の内壁面であるトッププレート８１ａ間の距離がダイアフラム８７とフェイズプラグ８６間の距離と等しくなるように、エッジ８９とトッププレート８１ａの位置が決定されている。
【００２８】
本実施形態において、エッジ８９およびトッププレート８１ａ間の空間と、ダイアフラム８７およびフェイズプラグ８６間の空間とは、連通して１つの空間を構成しており、この空間は各部の断面積が均一な空間となっている。これ以外はホーンスピーカ１とホーンスピーカ２は同一である。従って、図１において、図１０に示されたものと同一の構成要素には同一の符号を付けて、その説明を省略する。以下では、環状マグネット８２ａ、８２ｂおよび８２ｃと電線８８ａとを中心に説明する。
【００２９】
環状マグネット８２ａは、ホーンスピーカ１の外周側に設けられ、環状マグネット８２ｂは、環状マグネット８２ａの内周側と環状マグネット８２ｃの外周側と間隔を開けて設けられ、環状マグネット８２ｃは、内周側が導音孔形成部８５ａと接するように設けられている。環状マグネット８２ａは、ホーンスピーカ１の外周側の側面にＳ極があり、環状マグネット８２ｂ側の側面にＮ極がある。環状マグネット８２ｂは、環状マグネット８２ａ側の側面にＮ極があり、環状マグネット８２ｃ側の側面にＳ極がある。環状マグネット８２ｃは、環状マグネット８２ｂ側の側面にＳ極があり、導音孔形成部８５ａ側の側面にＮ極がある。そして、磁界発生部である環状マグネット８２ａ、８２ｂおよび８２ｃは、エッジ８９に平行な磁界を発生する。
【００３０】
図２は、バックカバー９５を取り外したホーンスピーカ１をバックカバー９５からホーン８４に向かう方向から見た背面図である。ただし、図２では、スペーサリング９０の図示は省略している。図２には、エッジ８９において環状マグネット８２ｃの外周と内周との間の中心を通る円軌道Ｄ１と、環状マグネット８２ｂの外周と内周との間の中心を通る円軌道Ｄ２と、環状マグネット８２ａの外周と内周との間の中心を通る円軌道Ｄ３が示されている。磁界発生部である環状マグネット８２ｃ、８２ｂ、８２ａは、エッジ８９の表面上の同心の３つの環状領域（図示略）に放射状の磁界を各々発生する。円軌道Ｄ１、Ｄ２、Ｄ３は、この３つの環状領域の各々の幅方向（径方向）略中央に位置している。
【００３１】
図２において、端子ＡおよびＢには、ダイアフラム８７を駆動するための駆動電圧が与えられる。電線８８ａは、端子Ａから端子Ｂまで円軌道Ｄ１〜Ｄ３に沿って一筆書き状に配線された１本の連続した電線である。本実施形態では、図２に示すように、円環状のエッジ８９の表面領域が９０°の拡がり角を持った４領域ＡＲ１〜ＡＲ４に区分されており、電線８８ａは、各領域ＡＲ１〜ＡＲ４内において、円軌道Ｄ１から円軌道Ｄ３までを順次辿り、あるいは円軌道Ｄ３から円軌道Ｄ１までを順次辿り、端子Ａから端子Ｂに至っている。
【００３２】
さらに詳述すると、電線８８ａは、端子Ａから領域ＡＲ１およびＡＲ４間の境界に沿って領域ＡＲ１内の円軌道Ｄ１上の点Ｃ１まで延び、そこから円軌道Ｄ１に沿って時計廻りに９０°隔たった領域ＡＲ２との境界付近の点Ｃ２に至る。次に、電線８８ａは、この点Ｃ２から領域ＡＲ１内の円軌道Ｄ２上の点Ｃ３まで延び、この点Ｃ３から円軌道Ｄ２に沿って反時計廻りに９０°隔たった領域ＡＲ４との境界付近の点Ｃ４に至る。次に、電線８８ａは、この点Ｃ４から領域ＡＲ１内の円軌道Ｄ３上の点Ｃ５まで延び、この点Ｃ５から円軌道Ｄ３に沿って時計廻りに１８０°隔たった領域ＡＲ２と領域ＡＲ３との境界付近の点Ｃ６に至る。次に、電線８８ａは、この点Ｃ６から領域ＡＲ２内の円軌道Ｄ２上の点Ｃ７まで延び、この点Ｃ７から円軌道Ｄ２に沿って反時計廻りに９０°隔たった領域ＡＲ１と領域ＡＲ２との境界付近の点Ｃ８に至る。次に、電線８８ａは、この点Ｃ８から領域ＡＲ２内の円軌道Ｄ１上の点Ｃ９まで延び、この点Ｃ９から円軌道Ｄ１に沿って時計廻りに１８０°隔たった領域ＡＲ３と領域ＡＲ４との境界付近の点Ｃ１０に至る。以下、同様であり、電線８８は、領域ＡＲ３内の点Ｃ１０〜Ｃ１３、領域ＡＲ４内の点Ｃ１４〜Ｃ１８を経由して端子Ｂに至る。
【００３３】
図３は、図２に示すホーンスピーカ１をＡ−Ａ’線において切断した断面図である。図３の点線の矢印は、環状マグネット８２ａ、８２ｂおよび８２ｃが発生する磁界の向きを示している。最も内側の環状領域内を縦断する点Ｃ１と点Ｃ２間の電線８８ａの区間（図３では左端の電線８８ａの区間）と、最も外側の環状領域内を縦断する点Ｃ５と点Ｃ６間の電線８８ａの区間（図３では右端の電線８８ａの区間）とには、中心軸ａｘからエッジ８９の外周側に向かう方向（図３では左から右へ向かう方向）に磁界が働く。一方、中央の環状領域内を縦断する点Ｃ３と点Ｃ４間の電線８８ａの区間（図３では中央の電線８８ａの区間）には、エッジ８９の外周側から中心軸ａｘに向かう方向（図３では右から左へ向かう方向）に磁界が働く。このように１つの環状領域に発生する磁界が環状領域の中心から周囲に向かう方向の磁界である場合に、隣の環状領域に発生する磁界は環状領域の周囲から中心に向かう方向の磁界となる。このように本実施形態では、環状マグネット８２ａ、８２ｂおよび８２ｃにより各環状領域に発生される磁界は、放射方向であり、かつ、隣り合う環状領域間で逆方向の磁界となる。
【００３４】
図３には、端子Ａから端子Ｂに電流が流れた場合における電線８８ａの各区間の電流の向きが示されている。すなわち、この場合には、最も内側の環状領域内を縦断する点Ｃ１と点Ｃ２間の電線８８ａの区間と、最も外側の環状領域内を縦断する点Ｃ５と点Ｃ６間の電線８８ａの区間とには、電流が図２の時計廻りの方向（図３では奥から手前に向かう方向）に流れ、中央の環状領域内を縦断する点Ｃ３と点Ｃ４間の電線８８ａの区間には、電流が図２の反時計廻りの方向（図３では手前から奥に向かう方向）に流れる。このように本実施形態では、隣り合う環状領域間で各々を縦断する電線の電流の方向が逆方向になっている。ここで、点Ｃ１と点Ｃ２間の電線８８ａの区間と、点Ｃ５と点Ｃ６間の電線８８ａの区間と、点Ｃ３と点Ｃ４間の電線８８ａの区間では、電流の向きと磁界の向きが直交し、いずれの区間でもホーン８４からバックカバー９５の方向（図３では上方向）に力が働く。このため、エッジ８９にもホーン８４からバックカバー９５の方向に力が働く。
【００３５】
一方、電流が端子Ｂから端子Ａに流れると、点Ｃ１と点Ｃ２間の電線８８ａの区間と、点Ｃ５と点Ｃ６間の電線８８ａの区間とには、電流が図２の反時計廻りの方向に流れ、点Ｃ３と点Ｃ４間の電線８８ａの区間には、電流が図２の時計廻りの方向に流れる。ここで、点Ｃ１と点Ｃ２間の電線８８ａの区間と、点Ｃ５と点Ｃ６間の電線８８ａの区間と、点Ｃ３と点Ｃ４間の電線８８ａの区間では、電流の向きと磁界の向きが直交し、いずれの区間でもバックカバー９５からホーン８４の方向に力が働く。このため、エッジ８９にもバックカバー９５からホーン８４の方向に力が働く。
【００３６】
領域ＡＲ２〜ＡＲ４についても、図２のＡ−Ａ’線のある領域ＡＲ１と同様であり、電流が端子Ａから端子Ｂに流れると、エッジ８９にホーン８４からバックカバー９５の方向に力が働き、電流が端子Ｂから端子Ａに流れると、エッジ８９にバックカバー９５からホーン８４の方向に力が働く。
【００３７】
このように、電線８８ａに電流を流すと、エッジ８９に中心軸ａｘに平行な方向の駆動力が与えられる。そして、電線８８ａに流す電流を変化させることにより、エッジ８９が支持するダイアフラム８７を振動させ、音波を発生することができる。
【００３８】
ホーンスピーカ１によれば、ボイスコイルボビン８８が存在しないため、バックプレート８０とエッジ８９との間に磁気ギャップＡＧを設ける必要が無い。このため、空間ＣＳが生じることが無く、従来のホーンスピーカ２全体の体積に比べて、ホーンスピーカ１全体の体積を小さくすることができる。
【００３９】
さらに、本実施形態によれば、音響特性の改善も期待することができる。従来のホーンスピーカ２では、ダイアフラム８７をある周波数で振動させた時に、ボイスコイルボビン８８とポールピース８５との間の空間と空間ＯＳを合わせた空間と、ボイスコイルボビン８８とトッププレート８１との間の空間とをネックとみなし、ボイスコイルボビン８８、ポールピース８５、バックプレート８０および環状マグネット８２で囲まれた空間と、スペーサリング９０、トッププレート８１、ボイスコイルボビン８８およびエッジ８９で囲まれた空間とをキャビティとみなしたヘルムホルツ共鳴現象が発生する。これらの空間に限られず、ホーンスピーカ２内の連続した２つの空間において、両空間の断面積に差が生じているとヘルムホルツ共鳴現象が発生する。このため、このヘルムホルツ共鳴現象を引き起こす周波数において、ダイアフラム８７の振動に悪影響が生じ、ホーンスピーカ２の再生周波数特性にピークやディップが発生し、放音される音の音質が劣化する。
【００４０】
しかしながら、本実施形態におけるホーンスピーカ１によれば、エッジ８９およびトッププレート８１ａ間の空間と、ダイアフラム８７およびフェイズプラグ８６間の空間は、連通して１つの空間を構成しており、この空間は各部の断面積が均一な空間となっているため、ダイアフラム８７の振動へ悪影響を及ぼすヘルムホルツ共鳴現象の発生を抑制することができる。このため、ヘルムホルツ共鳴現象に起因するホーンスピーカ１の周波数特性のピークやディップを抑制することができる。
＜他の実施形態＞
【００４１】
以上、この発明の一実施形態について説明したが、この発明には他にも実施形態が考えられる。例えば次の通りである。
【００４２】
（１）上記実施形態では、エッジ８９に電線８８ａが図２および図３に示すように配置されていたが、電線８８ａの配置の態様はこれに限られない。例えば、図４および図５に示すように電線８８ａがエッジ８９に配置されていてもよい。図４は、バックカバー９５を取り外した同ホーンスピーカ１をバックカバー９５からホーン８４に向かう方向から見た背面図であり、図５は、図４に示すホーンスピーカ１をＢ−Ｂ’線において切断した断面図である。ただし、図４では、スペーサリング９０の図示は省略している。
【００４３】
図２および図３の構成では、電線８８ａの軌道として円軌道Ｄ１〜Ｄ３の３本が設けられていた。これに対し、図４および図５の構成では、電線８８ａの軌道として内側から順に円軌道Ｄ１〜Ｄ９が設けられており、端子ＡおよびＢ間の電線８８ａは、円軌道Ｄ１〜Ｄ９に沿って中心軸ａｘの廻りを３周している。
【００４４】
さらに詳述すると、端子Ａに接続された電線８８ａは、１周目において、領域ＡＲ１内の円軌道Ｄ１→Ｄ４→Ｄ７という経路、領域ＡＲ２内の円軌道Ｄ７→Ｄ４→Ｄ１という経路、領域ＡＲ３内の円軌道Ｄ１→Ｄ４→Ｄ７という経路、領域ＡＲ４内の円軌道Ｄ７→Ｄ４→Ｄ１という経路を辿る。次いで電線８８ａは、２周目において、領域ＡＲ１内の円軌道Ｄ２→Ｄ５→Ｄ８という経路、領域ＡＲ２内の円軌道Ｄ８→Ｄ５→Ｄ２という経路、領域ＡＲ３内の円軌道Ｄ２→Ｄ５→Ｄ８という経路、領域ＡＲ４内の円軌道Ｄ８→Ｄ５→Ｄ２という経路を辿る。次いで電線８８ａは、３周目において、領域ＡＲ１内の円軌道Ｄ３→Ｄ６→Ｄ９という経路、領域ＡＲ２内の円軌道Ｄ９→Ｄ６→Ｄ３という経路、領域ＡＲ３内の円軌道Ｄ３→Ｄ６→Ｄ９という経路、領域ＡＲ４内の円軌道Ｄ９→Ｄ６→Ｄ３という経路を辿り、端子Ｂに至る。
【００４５】
図５に示すように、円軌道Ｄ１、Ｄ２、Ｄ３上の電線８８ａには環状マグネット８２ｃの発生する磁界が直交し、円軌道Ｄ４、Ｄ５、Ｄ６上の電線８８ａには環状マグネット８２ｂの発生する磁界が直交し、円軌道Ｄ７、Ｄ８、Ｄ９上の電線８８ａには環状マグネット８２ａの発生する磁界が直交する。
【００４６】
このように図４および図５の構成では、１個の環状マグネットが発生する磁界に対して３本の電線８８ａが直交する。従って、同じ電流を電線８８ａに流した場合に、図４および図５に示すエッジ８９に働く力は、図２および図３に示すエッジ８９に働く力の３倍になる。
【００４７】
また、エッジ８９に対する電線８８ａの配置は、図６に示すように配置されていてもよい。図２および図３では電線８８ａは一筆書き状に配線された１本の連続した電線であったが、図６では電線８８ａは複数の電線から構成されている。図６では、エッジ８９に対して円軌道Ｄ１〜Ｄ３の各々に沿うように電線８８ａが配置され、各々の電線８８ａは、端子ＡおよびＢから延びた電線８８ａに並列に接続されている。図６では、エッジ８９の最内周の電線８８ａの区間に流れる電流の向きは、エッジ８９の最外周の電線８８ａの区間に流れる電流の向きと一致し、エッジ８９の最内周から２番目の電線８８ａの区間に流れる電流の向きとは逆となっている。
【００４８】
（２）電線８８ａをコイル状に巻いたものをエッジ８９に配置してもよい。図７は、この場合に、バックカバー９５を取り外した同ホーンスピーカ１をバックカバー９５からホーン８４に向かう方向から見た背面図である。図７に示すように、電線８８ａをコイル状に巻いてエッジ８９に配置すると、電線８８ａの全区間に流れる電流の向きは一致する。図８は、図７に示すホーンスピーカ１をＣ−Ｃ’線において切断した断面図である。ただし、図８に示すように、この場合、ホーンスピーカ１は１個の環状マグネット８２を有する。この環状マグネット８２は、支持部であるエッジ８９において可動部であるダイアフラム８７を取り囲む１つの環状領域にエッジ８９に平行な放射状の磁界を発生する磁界発生部として機能する。図８には端子Ａから端子Ｂに電流が流れた場合における電線８８ａの電流の向きが示されている。図７および図８に示すように、環状マグネット８２が磁界を発生する環状領域には、当該環状領域を複数回縦断する電線８８ａが配置され、当該環状領域の横断面と交差する各電線における電流方向は同方向となる。ここで、横断面とは、環状領域を環状マグネット８２が生成する磁界の方向に横断する面、具体的には図７においてＣ−Ｃ’線により示される横断面である。従って、電線８８ａに電流を流すと、エッジ８９に中心軸ａｘに平行な方向の駆動力が与えられ、電線８８ａに流す電流を変化させることにより、エッジ８９が支持するダイアフラム８７を振動させ、音波を発生することができる。
【００４９】
また、エッジ８９に対して、各々が１対の端子間に設けられ、同心円をなす３本の電線を配置してもよい。この態様では、同心円状の３本の電線が各々接続された３対の端子間にダイアフラム８７を駆動するための駆動電圧が与えられる。
【００５０】
（３）上記実施形態では、環状マグネット８２ａ、８２ｂおよび８２ｃは、ホーンスピーカ１の外周側と内周側の側面の各々にＳ極或いはＮ極があったが、バックカバー９５側とホーン８４側の側面の各々にＳ極或いはＮ極があってもよい。
【００５１】
図９は、この場合のホーンスピーカ１を図２のＡ−Ａ’線で切断した断面図である。図９には端子Ａから端子Ｂに電流が流れる場合における電線８８ａの各区間の電流の向きが示されている。この場合、ホーンスピーカ１は環状マグネット８２ｄ〜８２ｇを有する。図９に示すように、環状マグネット８２ｄおよび８２ｆは、バックカバー９５側の側面にＮ極があり、ホーン８４側の側面にＳ極がある。さらに、環状マグネット８２ｅおよび８２ｇは、バックカバー９５側の側面にＳ極があり、ホーン８４側の側面にＮ極がある。環状マグネット８２ｄ〜８２ｇの各々の間には、環状マグネット８２ｄ〜８２ｇが発生する磁界の短絡を防止するために、非磁性体９６が挟まれている。
【００５２】
エッジ８９の最内周の電線８８ａの区間（図９では左端の電線８８ａの区間）には、中心軸ａｘからエッジ８９の外周側に向かう方向（図９では左から右へ向かう方向）に磁界が働く。さらに、エッジ８９の最内周から２番目の電線８８ａの区間（図９では中央の電線８８ａの区間）と、最外周の電線８８ａの区間（図９では右端の電線８８ａの区間）とには、エッジ８９の外周側から中心軸ａｘに向かう方向（図９では右から左へ向かう方向）に磁界が働く。電流が端子Ａから端子Ｂに流れると、ホーン８４からバックカバー９５の方向（図９では上方向）に力が働く。このため、エッジ８９にもホーン８４からバックカバー９５の方向に力が働く。一方、電流が端子Ｂから端子Ａに流れると、バックカバー９５からホーン８４の方向（図９では下方向）に力が働き、エッジ８９にはバックカバー９５からホーン８４の方向に力が働く。
【００５３】
このように、電線８８ａに電流を流すと、エッジ８９に中心軸ａｘに平行な方向の駆動力が与えられる。そして、電線８８ａに流す電流を変化させることにより、エッジ８９が支持するダイアフラム８７を振動させ、音波を発生することができる。
【００５４】
（４）上記実施形態において、環状マグネット８２ａ〜８２ｃの各々の境界に非磁性体を設けてもよい。
【００５５】
（５）上記実施形態では、スペーサリング９０と環状マグネット８２ａの間にトッププレート８１ａが介挿されていたが、このトッププレート８１ａが存在しなくてもよい。トッププレート８１ａが存在しない方が、ホーンスピーカ全体の体積をより小さくすることができる。ただし、ヘルムホルツ共鳴の発生を抑制するために、エッジ８９と環状マグネット８２ａ〜８２ｃ間の距離が、ダイアフラム８７とフェイズプラグ８６間の距離と等しい必要がある。
【００５６】
（６）上記実施形態では、電線８８ａはエッジ８９のバックカバー９５側に設けられていたが、エッジ８９のホーン８４側に設けられていてもよい。環状マグネット８２ａ〜８２ｃの磁界の向きと直交するように電線８８ａを配置して、電線８８ａに流す電流を変化させることによりダイアフラム８７を振動させることができれば、エッジ８９に対して電流８８ａを設ける位置はどこでもよい。
【００５７】
（７）上記実施形態では、ダイアフラム８７はドーム状であったが、ダイアフラム８７の形状はドーム状に限られない。例えば、本発明を平面スピーカに適用した場合は、ダイアフラム８７は平面となる。
【００５８】
（８）ホーンスピーカには、ダイアフラム８７の音放射面が放音方向に対して凸状に湾曲しているフロントタイプと、ダイアフラム８７の音放射面が放音方向に対して凹状に湾曲しているリアタイプとがある。上記実施形態のホーンスピーカ１はリアタイプであったが、本発明をフロントタイプのホーンスピーカに適用してもよい。
【００５９】
（９）上記実施形態のホーンスピーカ１からホーン８４を除いて、コンプレッションドライバ単体の生産、使用、譲渡、貸渡し、輸出、輸入、譲渡または貸渡しの申出（以下、「生産等」と呼ぶ）をしてもよい。また、上記実施形態のフェイズプラグ８６単体の生産等をしてもよい。
【００６０】
（１０）上記実施形態では本発明をホーンスピーカに適用したが、本発明をホーンスピーカ以外の音響機器に適用してもよい。例えば、本発明をマイクロフォンに適用してもよい。本発明をマイクロフォンに適用することで、マイクロフォン全体の体積を小さくすることができる。
【符号の説明】
【００６１】
１，２……ホーンスピーカ、８０……バックプレート、８１，８１ａ……トッププレート、８２，８２ａ〜８２ｇ……環状マグネット、８３……導音孔、８４……ホーン、８５……ポールピース、８５ａ……導音孔形成部、８６……フェイズプラグ、８７……ダイアフラム、８８……ボイスコイルボビン、８８ａ……電線、８９……エッジ、９０……スペーサリング、９１……スリット、９４……スロート部、９５……バックカバー、９６……非磁性体、ａｘ……中心軸、ＯＳ……空間、ＡＧ……磁気ギャップ、Ａ，Ｂ……端子、Ｃ１〜Ｃ１８……点、Ｄ１〜Ｄ９……円軌道。
【図１】
2017139664.tif 000003
【図２】
2017139664.tif 000004
【図３】
2017139664.tif 000005
【図４】
2017139664.tif 000006
【図５】
2017139664.tif 000007
【図６】
2017139664.tif 000008
【図７】
2017139664.tif 000009
【図８】
2017139664.tif 000010
【図９】
2017139664.tif 000011
【図１０】
2017139664.tif 000012